(57)【要約】【課題】紙管２にシート１が巻き付けられたシートロール体５をこのシートロール体５から引き出したシート１を切断するための切断刃８を備えた箱体３に収納したシート包装体において、切断後のシートロール体５の逆回転によるシート１の端部の引き戻しを安定かつ確実に防止できるようにする。【解決手段】紙管の２両端を回転可能に支持部材４ａ，４ｂにより支持すると共に、この支持部材４ａ，４ｂの少なくとも一方は、シート１の引き出し時のシートロール体５回転方向の回転を許容し逆回転を係止するラチェット２０を介して紙管２を支持したシート包装体とする。【選択図】図１
2014091565.tif 000002
【特許請求の範囲】
【請求項１】
紙管にシートが巻き付けられたシートロール体が、該シートロール体から引き出した前記シートを切断するための切断刃を備えた箱体に収納されたシート包装体において、
前記紙管の両端をそれぞれ前記箱体の内部で回転可能に支持する支持部材を備えており、前記支持部材の少なくとも一方は、ラチェットを介して前記紙管を支持しており、
前記ラチェットは、環状のホイール周側壁を有するラチェットホイールと、前記ホイール周側壁上に被さる環状のケース周側壁を有し、前記ラチェットホイールに対して回転可能なラチェットケースとを備え、前記ラチェットホイールが前記箱体内に立設された支持台部に取り付けられていると共に、前記ラチェットケースが、その回転軸を前記紙管の中心軸方向に向けて前記紙管の端部に嵌合されている一方、
前記ホイール周側壁の外面に、前記シートの引き出し時の前記シートロール体の回転方向に傾斜した歯が連なったラチェット歯車が形成されていると共に、前記ケース周側壁の一部が、前記ラチェット歯車の歯の傾斜方向とは逆向きで前記ラチェット歯車側に延出した爪部を構成していることを特徴とするシート包装体。
【請求項２】
他方の支持部材が、前記箱体内に立設された支持台部と、該支持台部に突設された凸部とを備えており、前記紙管の端部が該凸部に差し込まれて回転可能に保持されていることを特徴とする請求項１に記載のシート包装体。
【請求項３】
前記ラチェットケースが、その回転軸と平行な方向に長さ方向を向けて外面に突設されたフィンを介して前記紙管に嵌合されていることを特徴とする請求項１又は２に記載のシート包装体。
【請求項４】
前記フィンの前記紙管との嵌合方向先端側頂点を結ぶ円の直径が、前記紙管の内径よりも１．５ｍｍ〜２．０ｍｍ大きいことを特徴とする請求項３に記載のシート包装体。
【請求項５】
紙管にシートが巻き付けられたシートロール体が、該シートロール体から引き出した前記シートを切断するための切断刃を備えた箱体に収納されたシート包装体に用いられる前記シートロール体の支持部材であって、
一端が前記箱体内に立設可能な支持台部に接続された環状のホイール周側壁を有するラチェットホイールと、前記ホイール周側壁上に被さる環状のケース周側壁を有し、前記ラチェットホイールに対して回転可能で、その回転軸を前記紙管の中心軸方向に向けて前記紙管の端部に嵌合可能なラチェットケースとを備え、
前記ホイール周側壁の外面に、その周方向の一方向に傾斜した歯が連なったラチェット歯車が形成されていると共に、前記ケース周側壁の一部が、前記ラチェット歯車の歯の傾斜方向とは逆向きで前記ラチェット歯車側に延出した爪部を構成していることを特徴とする支持部材。
【請求項６】
前記ラチェットケースが、その回転軸と平行な方向に長さ方向を向けて外面に突設されたフィンを有することを特徴とする請求項５に記載の支持部材。
【請求項７】
前記フィンの前記紙管との嵌合方向先端側頂点を結ぶ円の直径が、前記紙管の内径よりも１．５ｍｍ〜２．０ｍｍ大きいことを特徴とする請求項６に記載の支持部材。
【発明の詳細な説明】
【技術分野】
【０００１】
本発明は、紙管にシートが巻き付けられたシートロール体を、このシートロール体から引き出したシートを切断するための切断刃を備えた箱体に収納したシート包装体におけるシート切断後のシート端部の巻き戻り防止に関する。更に詳しくは、切断後のシートロール体の逆回転によるシート端部の巻き戻り防止機能を有するシート包装体及びそれに用いるシートロール体の支持部材に関する。
【背景技術】
【０００２】
従来、シート端部の巻き戻り防止機能を有するシート包装体として、凸部（横部材）が突設された板状の支持台部（縦部材）を、凸部をシートロールの紙管に差し込んで、シートロール体の両端に設けてシートロール体を支持する一方、凸部の周囲に、シートを引き出す際のシートロール体の回転方向に傾斜した歯を形成した包装体が知られている（例えば、特許文献１参照）。この包装体の場合、シートの引き出し時には、凸部の歯の傾斜方向に紙管が回転するので、紙管は歯の背面側から擦れ合う。このため、歯が強く紙管と擦れ合うことがないので、凸部を軸としてシートロール体を容易に回転させることができる。しかし、シートロール体を逆回転させるには、凸部の歯の傾斜方向とは逆方向に紙管を回転させることになるので、紙管は歯との対向方向から擦れ合うことになる。このため、歯が紙管に引っかかって回転しにくくなる。特許文献１の包装体は、これを利用してシートロール体の逆回転によるシート端部の巻き戻りを抑制しようとするものである。
【先行技術文献】
【特許文献】
【０００３】
【特許文献１】特開２００９−１３４０号公報
【発明の概要】
【発明が解決しようとする課題】
【０００４】
しかしながら、紙管の径はばらつきが大きく、逆回転時の凸部の歯の引っ掛かり状態を紙管毎に均一に維持するのは困難である。このため、シートロール体の逆回転によるシート端部の巻き戻り防止機能がシート包装体毎にばらついてしまう問題がある。また、凸部の歯の傾斜に対して順方向であるとはいえ、シートの引き出しの都度、紙管の内面が凸部の歯に擦られることになる。そして、これによって経時的に紙管の内面が削られる結果、凸部と紙管の嵌め合せが緩くなって、逆回転時の凸部の歯の引っ掛かり状態が悪くなり、シートロールの逆回転によるシート端部の巻き戻り防止機能が低下してしまいやすい問題もある。
【０００５】
本発明は、上記従来の問題点に鑑みてなされたもので、紙管にシートが捲回されたシートロール体をこのシートロール体から引き出したシートを切断するための切断刃を備えた箱体に収納したシート包装体において、切断後のシートロール体の逆回転によるシート端部の巻き戻りを安定かつ確実に防止できるようにすることを目的とする。
【課題を解決するための手段】
【０００６】
上記課題を解決するために、本発明の第１は、紙管にシートが巻き付けられたシートロール体が、該シートロール体から引き出した前記シートを切断するための切断刃を備えた箱体に収納されたシート包装体において、
前記紙管の両端をそれぞれ前記箱体の内部で回転可能に支持する支持部材を備えており、前記支持部材の少なくとも一方は、ラチェットを介して前記紙管を支持しており、
前記ラチェットは、環状のホイール周側壁を有するラチェットホイールと、前記ホイール周側壁上に被さる環状のケース周側壁を有し、前記ラチェットホイールに対して回転可能なラチェットケースとを備え、前記ラチェットホイールが前記箱体内に立設された支持台部に取り付けられていると共に、前記ラチェットケースが、その回転軸を前記紙管の中心軸方向に向けて前記紙管の端部に嵌合されている一方、
前記ホイール周側壁の外面に、前記シートの引き出し時の前記シートロール体の回転方向に傾斜した歯が連なったラチェット歯車が形成されていると共に、前記ケース周側壁の一部が、前記ラチェット歯車の歯の傾斜方向とは逆向きで前記ラチェット歯車側に延出した爪部を構成していることを特徴とするシート包装体を提供するものである。
【０００７】
上記本発明の第１は、他方の支持部材が、前記箱体内に立設された支持台部と、該支持台部に突設された凸部とを備えており、前記紙管の端部が該凸部に差し込まれて回転可能に保持されていること、
前記ラチェットケースが、その回転軸と平行な方向に長さ方向を向けて外面に突設されたフィンを介して前記紙管に嵌合されていること、
前記フィンの前記紙管との嵌合方向先端側頂点を結ぶ円の直径が、前記紙管の内径よりも１．５ｍｍ〜２．０ｍｍ大きいこと
をその好ましい態様として含むものである。
【０００８】
また、本発明の第２は、紙管にシートが巻き付けられたシートロール体が、該シートロール体から引き出した前記シートを切断するための切断刃を備えた箱体に収納されたシート包装体に用いられる前記シートロール体の支持部材であって、
一端が前記箱体内に立設可能な支持台部に接続された環状のホイール周側壁を有するラチェットホイールと、前記ホイール周側壁上に被さる環状のケース周側壁を有し、前記ラチェットホイールに対して回転可能で、その回転軸を前記紙管の中心軸方向に向けて前記紙管の端部に嵌合可能なラチェットケースとを備え、
前記ホイール周側壁の外面に、その周方向の一方向に傾斜した歯が連なったラチェット歯車が形成されていると共に、前記ケース周側壁の一部が、前記ラチェット歯車の歯の傾斜方向とは逆向きで前記ラチェット歯車側に延出した爪部を構成していることを特徴とする支持部材を提供するものである。
【０００９】
上記本発明の第２は、前記ラチェットケースが、その回転軸と平行な方向に長さ方向を向けて外面に突設されたフィンを有すること、
前記フィンの前記紙管との嵌合方向先端側頂点を結ぶ円の直径が、前記紙管の内径よりも１．５ｍｍ〜２．０ｍｍ大きいこと、
を好ましい態様として含むものである。
【発明の効果】
【００１０】
本発明に用いられるラチェットのラチェット歯車と爪部は、シートの引き出し時のシートロール体の回転方向の回転を許容し逆回転を係止する構成となっている。本発明のシート包装体においては、このラチェットを介して紙管を回転可能に支持している。ラチェットは、紙管をしっかり保持できるように取り付けてさえあれば、紙管の径のばらつきに拘わらず、確実に逆転を抑制できるので、安定して確実にシートロール体の逆回転によるシート端部の巻き戻りを防止することができる。また、本発明の支持部材を用いれば、巻き戻りを生じないシート包装体を容易に得ることができる。
【００１１】
また、本発明に用いられるラチェットは、ラチェットホイールのホイール周側壁の外側に、ラチェットケースのケース周側壁を被せ、この両者間のわずかな隙間を利用して、ラチェット歯車と爪部の組み合わせ構造を構成できるようにしているので、ラチェット全体を小型なものとすることができる。そして、本発明のシート包装体及び支持部材によれば、小型化したラチェット全体を紙管内に嵌め込むことができるので、わざわざ箱体３を大きくしてシートロール体との間にラチェットを収容する隙間を形成することなく、巻き戻り防止を図ることができる。
【００１２】
なお、その他の本発明の効果については、本発明の実施の形態の説明と共に説明する。
【図面の簡単な説明】
【００１３】
【図１】本発明のシート包装体の一例を示す分解斜視図である。
【図２】本発明のシート包装体に用いる本発明の支持部材の一例を示す斜視図である。
【図３】図２に示される支持部材の（ａ）は正面図、（ｂ）は（ａ）におけるＡ−Ａ断面図である。
【図４】図２及び図３に示される支持部材のラチェットケースを外した状態の斜視図である。
【図５】ラチェットケースの断面図である。
【図６】本発明のシート包装体に用いる凸部を備えた支持部材の一例を示す斜視図である。
【発明を実施するための形態】
【００１４】
以下、図面を用いて本発明の実施形態を説明するが、本発明は下記実施形態に限定されない。また、以下に参照する図面において、同じ符号は同様の構成要素を示す。
【００１５】
本発明に係るシート包装体と支持部材の一例を図１〜図６を用いて詳細に説明する。
【００１６】
シート包装体は、シート１を紙管２に多重に巻き付けたシートロール体５と、箱体３と、支持部材４ａ，４ｂとを備えている。
【００１７】
シート１は、紙管２に捲回されて、シートロール体５として箱体３に収納されている。シート１とは、薄い平坦な材料で、具体的にはラップフィルム、アルミホイル、クッキングペーパー等を挙げることができる。本発明は、これらのいずれの包装体に対しても適用することができるが、巻き戻りが発生した場合に次の引き出し作業がしにくくなりやすいラップフィルムに適用するのが最も効果的である。
【００１８】
箱体３は、横長の直方体で、シートロール体５を収容する本体６と、本体６上に開閉可能に被さる蓋体７を備えている。本体６は、前面板６ａ、側面板６ｂ，６ｃ、背面板６ｄ及び底面板６ｅを備えている。前面板６ａ、側面板６ｂ，６ｃ及び背面板６ｄは、底面板６ｅの周囲から立ち上げられて本体６の周壁を構成している。蓋体７は、蓋体７を閉じた時に本体６の前面板６ａの上部外面側に被さる前縁板７ａと、本体６の側面板６ｂ，６ｃの上部外面側に被さる側縁板７ｂ，７ｃと、本体６の開口部上に被さる天面板７ｄとを備えている。天面板７ｄの後縁は本体６の背面板６ｂの上縁に連なっており、前縁板７ａと側縁板７ｂ，７ｃは天面板７ｄの前縁と側縁にそれぞれ連接されている。また、箱体３は、シートロール体５から引き出したシート１を切断するための切断刃８を備えている。本例における切断刃８は蓋体３ｂの前縁板７ａに下向きに取り付けられているが、本体６の底面板６ｅに前向きに取り付けたり、その他の位置に取り付けたりすることもできる。
【００１９】
支持部材４ａ，４ｂは、シートロール体５を本体３ａの底面板６ｅから若干持ち上げた状態となるよう、紙管２の両端を回転可能に支持するもので、シートロール体５の両端に位置している。本例においては、紙管２の一端を支持する支持部材４ａが、支持台部９にラチェット２０を突設した構造で、ラチェット２０を介して紙管２を支持している。また、紙管２の他端を支持する支持部材４ｂは、支持台部９に凸部１０を突設した構造で、凸部１０を介して紙管２を支持している。紙管２の両端を、ラチェット２０が突設された支持部材４ａで支持することも可能であるが、コストを抑えるためには、本例のように、紙管２の一端についてはラチェット２０が設けられていない支持部材４ｂで支持することが好ましい。
【００２０】
支持部材４ａ，４ｂの支持台部９は、シートロール体５と、箱体３の本体６の側面板６ｂ，６ｃとの間の隙間に立設可能な矩形の板状をなしており、その中央部分にラチェット２０又は凸部１０が突設されている。支持台部９に突設されたラチェット２０は、外面に突設されたフィン４２を介して、紙管２の内周側に嵌合されている。ラチェット２０と紙管２は、紙管２とラチェット２０の間で空転しないよう、しっかり嵌め合わされている。ラチェット２０は、後述するように、外面を構成しているラチェットケース４０が、その内側に設けられているラチェットホイール３０の周囲を、シート１の引き出し時のシートロール体５の回転方向に回転可能に組み合わされたものとなっている。また、支持台部９に突設された凸部１０も、紙管２の内周側に嵌め合わされているが、この凸部１０は、紙管２が回転可能となるように嵌め合わされている。
【００２１】
更にラチェット２０が突設された支持部材４ａについて、図２〜図５に基づいて説明する。
【００２２】
ラチェット２０は、シート１の引き出し時のシートロール体５の回転方向（順方向）への回転を許容し、この方向とは逆の方向（逆方向）への回転を係止するもので、ラチェットホイール３０と、ラチェットホイール３０に対して回転可能なラチェットケース４０とを組み合わせたものとなっている。ラチェットホイール３０は、図３（ｂ）及び図４に示されるように、環状のホイール周側壁３１を有しており、ラチェットケース４０は、図２、図３及び図５に示されるように、ホイール周側壁３１上に被さる環状のケース周側壁４１を有している。ラチェット２０は、ラチェットケース４０の回転軸を紙管２の中心軸方向に向けて紙管２の端部に嵌合されている。
【００２３】
ホイール周側壁３１の外面に、周方向の一方向（順方向）に傾斜した歯が連なったラチェット歯車３２が形成されている。また、ホイール周側壁３１の紙管２（図１参照）との嵌合方向先端側の開口部を覆って端板部３３が設けられており、この端板部３３の中央部には軸孔３４が端板部３３を貫通して形成されている。ホイール周側壁３１の後端側は支持台部９に接続されている。ラチェットホイール３０と支持台部９は、例えば合成樹脂で別々に成形したものを接着してもよいが、一体成形すると製造が容易となるので好ましい。
【００２４】
支持台部９は、箱体３の本体部６の側面板６ｂより一回り小さな矩形をなしている。支持台部９の周囲は、ラチェットホイール３０の突設側に屈曲されて縁部１１を構成している。この縁部１１を設けると、支持台部９の全体厚さを大きくすることなく剛性を高めることができるので好ましい。また、支持台部９の周縁には、箱体３からの出し入れをしやすくするために、取手部１２を設けておくことが好ましい。
【００２５】
ラチェット歯車３２の歯の数は、紙管２やラチェットホイール３０の径等に応じて選択されるが、一般的なラップフィルムのシートロール体５を想定した場合、９〜２４個程度であることが好ましい。歯の数が少なすぎても多すぎても、シート１を引き出す際の抵抗感や引き出しやすさが低下する。また、歯の高さは、やはり紙管２やラチェットホイール３０の径等に応じて選択されるが、一般的なラップフィルムのシートロール体５を想定した場合、０．６０〜０．９０ｍｍであることが好ましい。歯の高さが低すぎると、確実な逆転防止性が得にくくなり、歯の高さが高すぎると、シート１を引き出す際のラチェット２０の回転音が大きくなったり、抵抗が大きくなって引き出しにくくなったりしやすい。ここでいう歯の高さとは、ホイール周側壁からの最大の突出量をいう。
【００２６】
ラチェットケース４０は、図２、図３及び図５に示されるように、ラチェットホイール３０のホイール周側壁３１上に被さる環状のケース周側壁４１を有しており、ラチェットホイール３０の外側に回転可能に装着されている。ケース周側壁４１の外面には、フィン４２が設けられている。このフィン４２は、長さ方向をラチェットケース４０の回転軸に平行な方向に向けてケース周側壁４１の外面に突設されており、紙管２へのラチェット２０の嵌合は、このフィン４２を介して行われている。紙管２へのラチェット２０の嵌合を、フィン４２を介して行うと、紙管２の内径のばらつきをフィン４２の紙管２への食い込み量で吸収して、紙管２の径のばらつきに拘わらずしっかり嵌合させやすくなり、紙管２とラチェットケース４０との間での空転を防止しやすくなる。また、後述するように、ケース周側壁４１の一部は、爪部４３として内側に斜めに延出されているので、ケース周側壁４１は、部分的に窪んだ状態となり、弾性変形しやすい構造となっている。このことによっても、紙管２との良好な嵌合状態が得やすくなっている。
【００２７】
フィン４２は、紙管２との嵌合方向先端側から後端側へ徐々に高さが高くなっていることが好ましい。このようにしておくと、紙管２との嵌合作業を妨げることなく強固な嵌合状態を得やすくすることができる。また、フィン４２の紙管２との嵌合方向先端側コーナー部に丸味を付けておくことで、紙管２へ差し込みやすくすることができる。
【００２８】
フィン４２は、嵌合力を安定した状態で分散支持するために、ケース周側壁４１の周方向に等間隔で３箇所以上儲けることが好ましく、紙管２との嵌合状態をより安定させるために、６〜１５箇所に等間隔で設けることがより好ましい。また、フィン４２の高さは、紙管２やラチェットホイール３０の径等に応じて選択されるが、一般的なラップフィルムのシートロール体５を想定した場合、紙管２との嵌合方向先端側頂点を結ぶ円の直径が、紙管２の内径よりも１．５ｍｍ〜２．０ｍｍ大きくなる高さとすることが好ましい。このようにすることによって、紙管２との嵌合作業を妨げることなく強固な嵌合状態を得やすくすることができる。なお、ここでいうフィン４２の高さとは、ケース周側壁の外面からの突出量をいう。
【００２９】
ラチェットケース４０のケース周側壁４１の一部は、ラチェットホイール３０のラチェット歯車３２側（内側）に屈曲して斜めに延出し、ラチェット歯車３２と組み合わされる爪部４３を構成している。この爪部４３の先端は、ラチェット歯車３２の歯の傾斜方向とは逆向きに延出しており、ラチェット歯車３２に弾性的に押し付けられている。前記のように、ラチェット歯車３２の歯は、順方向に傾斜している。このため、ラチェットケース４０が順方向に回転する場合、この爪部４３の先端は、ラチェット歯車３２の歯の傾斜面に沿って歯と歯の間の段差の上部へ移動し、段差の下部へ落ちた後、再度歯の傾斜面に沿って段差の上部へ移動する動作を繰り返し、回転が妨げられることはない。これに対して、ラチェットケース４０が逆方向に回転する場合、爪部４３の先端は、ラチェット歯車３２の歯の傾斜面に沿って歯と歯の間の段差の下部へ移動し、そこで係止されることから、回転が阻止されることになる。
【００３０】
爪部４３は、外側に凸に湾曲させておくことが好ましい。爪部４３このような湾曲を持たせることで、爪部４３の先端が歯と歯の間の段差にぶつかった時に外側に反らないようにすることができ、これによって爪部４３が段差を越えてしまうことを防止することができる。
【００３１】
爪部４３は、ラチェット２０に偏った力が作用して破損しやすくなるのを抑制するため、ケース周側壁４１の周方向に等間隔で複数個所設けることが好ましい。爪部４３の数は特に制限はないが、６箇所以上に形成するとラチェットケース４０自体の耐久性が低下しやすいことから、３〜５箇所とすることが好ましい。
【００３２】
ラチェットケース４０は、紙管２との嵌合方向先端側のケース周側壁４１の開口部を覆う端板部４４を有している。この端板部４４の中央部の内側には突出軸４５が突出している。突出軸４５は、ラチェットホイール３０の端板部３２に設けられている軸孔３４内に回転可能に嵌め込まれており、これによってラチェットホイール３０にラチェットケース４０が回転可能に保持されている。突出軸４５の先端には返し部４６が形成されており、これによって軸孔３４からの突出軸４５の抜けが係止されている。
【００３３】
なお、本例においては、ラチェットホイール３０側に軸孔３４、ラチェットケース４０側に突出軸４５を設けているが、ラチェットホイール３０側に突出軸４５、ラチェットケース４０側に軸孔３４を設けるようにすることもできる。
【００３４】
本例のラチェット２０は、ラチェットホイール３０のホイール周側壁３１と、ラチェットケース４０のケース周側壁４１とを嵌め合せて重ね、この両者間のわずかな隙間を利用して、ラチェット歯車３２と爪部４３の組み合わせ構造を構成している。このため、ラチェット２０全体を紙管２内に嵌め込むことができる程度に小型化でき、わざわざ箱体３を大きくしてシートロール体５との間に隙間を形成することなく、既存の箱体３でも容易に設置することができる。
【００３５】
図６に示されるように、ラチェット２０を備えた支持部材４ａとは反対側に設けられる支持部材４ｂにおける支持台部９は、既に説明した支持部材４ａにおける支持台部９と同様の構成である。支持部材４ｂにおける支持台部９は、図１に示されるシートロール体５の端部と箱体３の側面板６ｃとの間の隙間に立設されるものである。また、凸部１０は、紙管２に対して若干の遊びをもって嵌め込まれるもので、紙管２を回転可能に支持するものとなっている。支持部材４ｂは、凸部１０を設ける代わりに、中央部に紙管２の端部を回転可能に嵌め込むことができる穴を形成したものとすることもできる。
【００３６】
以上説明した支持部材４ａ，４ｂは、合成樹脂で形成することができる。使用する合成樹脂に特に制限はないが、割れにくく弾力性を求めるのであればポリプロピレン、耐久性が必要であればポリアセタール等を選択することができる。
【００３７】
本発明のシート包装体及び支持部材４ａの使用形態を説明する。
【００３８】
図１に示されるように、シートロール体５の紙管２は両端が支持部材４ａ，４ｂで支持され、シートロール体５が箱体３の底面板６ｅから若干浮き上がった状態で箱体３内に保持されている。このため、シート１を引き出す際に、シートロール体５が底面板６ｅ等の箱体３の内面と擦れ合わないので、スムーズな引き出しが可能となる。また、シート１の引き出しに伴い、シートロール体５が回転し、紙管２の一端は支持部材４ｂの凸部１０に沿って回転し、紙管２の他端は、図３に示されるラチェットホイール３０に対してラチェットケース４０を回転させることで回転する。この場合、順方向の回転であることから、ラチェット２０で係止されることなく回転することができる。必要量のシート１を引き出して切断刃８で切断すると、箱体３を持つ角度や切断の反動などによって、シートロール体５を逆回転させようとする力が加わる場合がある。このような力が加わってシートロール体５が逆回転しようとした場合、前記のように、ラチェットケース４０の爪部４３が、ラチェットホイール３０が有するラチェット歯車３２の歯で係止されることで、逆回転が係止される。このため、シートロール体５が逆回転し、これに伴ってシート１の先端が箱体３の内部に巻き戻され、シートロール体５に巻き付いてしまって、次の使用時にこの先端を引き出しにくくなることが防止される。
【符号の説明】
【００３９】
１：シート、２：紙管、３：箱体、４ａ，４ｂ：支持部材、５：シートロール体、６：本体、６ａ：前面板、６ｂ，６ｃ：側面板、６ｄ：背面板、６ｅ：底面板、７：蓋体、７ａ：前縁板、７ｂ，７ｃ側縁版、７ｄ：底面板、８：切断刃、９：支持台部、１０：凸部、１１：縁部、１２：取手部、２０：ラチェット、３０：ラチェットホイール、３１：ホイール周側壁、３２：ラチェット歯車、３３：端板部、３４：軸孔、４０：ラチェットケース、４１：ケース周側壁、４２：フィン、４３：爪部、４４：端板部、４５：突出軸、４６：返し部
【図１】
2014091565.tif 000003
【図２】
2014091565.tif 000004
【図３】
2014091565.tif 000005
【図４】
2014091565.tif 000006
【図５】
2014091565.tif 000007
【図６】
2014091565.tif 000008